(57)【要約】      （修正有）【課題】安全キャビネットで抗癌剤等を調製する際等に、作業効率を落とすことなく、作業者の暴露事故を抑制する暴露防止具及び暴露防止具付キャビネットの提供。【解決手段】安全キャビネット１０等の、作業室に設置して薬剤や有機溶剤の調製を行う際に使用する設備に付設する暴露防止具１である。暴露防止具１は、安全キャビネット１０の作業室３の前縁吸引口５１ａと暴露防止具用吸引口６とを前後に仕切るように立設される透明な遮蔽板１２と遮蔽板１２を底壁５上に支持する支持部１３とを有している。暴露防止具１は、作業者が遮蔽板１２の左右の両端縁の外側から、遮蔽板１２の後方、かつ暴露防止具用吸引口６の上方へ両手を回すことが可能に構成されている。【選択図】図１
2019162580.tif 000002
【特許請求の範囲】
【請求項１】
前方に作業用開口部を有する作業室と、前記作業室の底壁の前縁に沿って設けられる前縁吸引口と、前記前縁吸引口より後方において前記底壁を貫通する暴露防止具用吸引口とを備え、前記作業用開口部から前記作業室へ流入する外部の空気と、前記作業室内の空気とを前記前縁吸引口から作業室の底壁の下部空間へ吸引することにより設けた気流により前記作業用開口部をシールドするとともに、前記暴露防止具用吸引口から前記作業室内の空気を前記作業室の下部空間へ吸引するよう構成された暴露防止用キャビネットの前記作業室に設置して、薬剤や有機溶剤の調製を行う際に使用可能な暴露防止具であって、
前記前縁吸引口と前記暴露防止具用吸引口とを前後に仕切るように立設される透明な遮蔽板と、
前記遮蔽板を前記底壁上に支持する支持部と
を有し、
作業者が前記遮蔽板の左右の両端縁の外側から、前記遮蔽板の後方、かつ前記暴露防止具用吸引口の上方へ両手を回すことが可能に構成されていることを特徴とする暴露防止具。
【請求項２】
前記遮蔽板は、上端縁に後方へ傾斜する傾斜部を備える請求項１に記載の暴露防止具。
【請求項３】
前記支持部は、前記遮蔽板の下端から後方へ延出する板状をなし、前記作業室内と前記暴露防止具用吸引口と連通すべく厚み方向に貫通する貫通孔からなる排気口を有する請求項１、又は請求項２に記載の暴露防止具。
【請求項４】
前記排気口の側方に薬剤密封容器を載置可能なバイアル台を有する請求項３に記載の暴露防止具。
【請求項５】
前方に作業用開口部を有する作業室と、前記作業室の底壁の前縁に沿って設けられる前縁吸引口とを有し、前記作業用開口部から前記作業室へ流入する外部の空気と、前記作業室内の空気とを前記前縁吸引口から作業室の底壁の下部空間へ吸引することにより設けた気流により前記作業用開口部をシールドするよう構成された暴露防止用キャビネットと、
前記作業室に設置して、薬剤や有機溶剤の調製を行う際に使用可能な暴露防止具と
を備え、
前記暴露防止用キャビネットは、前記前縁吸引口より後方において前記作業室の底壁を貫通するとともに前記作業室内の空気を前記作業室の下部空間へ吸引する暴露防止具用吸引口を有し、
前記暴露防止具は、前記前縁吸引口と前記暴露防止具用吸引口とを前後に仕切るように立設される透明な遮蔽板と、前記遮蔽板を前記底壁上に支持する支持部とを有し、作業者が前記遮蔽板の左右の両端縁の外側から、前記遮蔽板の後方、かつ前記暴露防止具用吸引口の上方へ両手を回すことが可能に構成されていることを特徴とする暴露防止具付キャビネット。
【発明の詳細な説明】
【技術分野】
【０００１】
この発明は、抗癌剤の調製に用いる安全キャビネットや毒性の高い有機溶剤の取り扱いに用いる局所排気装置等の作業室内に付設して、抗癌剤や有機溶剤等による暴露事故を抑制する暴露防止具、及びこれを備えた暴露防止具付キャビネットに関する。
【背景技術】
【０００２】
近年、開放型の安全キャビネットや局所排気装置では、作業用開口部を気流でシールドするだけでは、抗癌剤や有機溶剤等を調製する際の暴露事故を十分に防止できない可能性が指摘されている。
【０００３】
そこで、本発明者は、先に特許文献１において、かかる作業を行う際に安全キャビネットや局所排気装置の作業室に設置して用いる暴露防止箱を提案している。特許文献１の暴露防止箱は、箱の内部に設置したバイアルに対し、箱の天壁に設けた貫通孔（充填具挿入口）からシリンジを刺し込んで、箱の内部でシリンジの針をバイアルの蓋に刺し込むようにしたもので、この際漏れ出た薬剤は、箱の下部に設けた排気口から作業室の下部空間へ吸引するようにしている。
【先行技術文献】
【特許文献】
【０００４】
【特許文献１】特許第６２５１８３９号公報
【発明の概要】
【発明が解決しようとする課題】
【０００５】
しかし、特許文献１の暴露防止箱は、暴露事故を防止するという観点では大きな効果を有するものの、扉を開閉してバイアルを１つずつ箱の中にセットしなければならないため、多数回連続して薬剤の調製を行う場合には、扉の開閉等に手間がかかって、当該暴露防止箱を用いない場合に比べると、作業効率が悪いという課題がある。
また、特許文献１の暴露防止箱は、バイアルを立てて設置し、上方よりシリンジの針を刺して薬剤の調製を行うことから、バイアルの先端部より薬剤が漏洩するとバイアル全体を汚染する虞があり、これを防止するための構造が複雑で、洗浄等の保守に手間がかかるという課題や製造コストが嵩むという課題が有る。
本発明は、上記課題に鑑みてなされたものであり、暴露防止具を用いない場合と同様に、作業効率の高く、かつ、シンプルな構造でバイアルの汚染を抑制可能な暴露防止具の提供を目的とする。
【課題を解決するための手段】
【０００６】
上記の課題を解決するためになされた発明は、前方に作業用開口部を有する作業室と、前記作業室の底壁の前縁に沿って設けられる前縁吸引口と、前記前縁吸引口より後方において前記底壁を貫通する暴露防止具用吸引口とを備え、前記作業用開口部から前記作業室へ流入する外部の空気と、前記作業室内の空気とを前記前縁吸引口から作業室の底壁の下部空間へ吸引することにより設けた気流により前記作業用開口部をシールドするとともに、前記暴露防止具用吸引口から前記作業室内の空気を前記作業室の下部空間へ吸引するよう構成された暴露防止用キャビネットの前記作業室に設置して、薬剤や有機溶剤の調製を行う際に使用可能な暴露防止具であって、前記前縁吸引口と前記暴露防止具用吸引口とを前後に仕切るように立設される透明な遮蔽板と、前記遮蔽板を前記底壁上に支持する支持部とを有し、作業者が前記遮蔽板の左右の両端縁の外側から、前記遮蔽板の後方、かつ前記暴露防止具用吸引口の上方へ両手を回すことが可能に構成されていることを特徴とする。
【０００７】
本発明の暴露防止具は、このように、遮蔽板の左右の両端縁の外側から、遮蔽板の後方、かつ暴露防止具用吸引口の上方へ両手を回すことできるため、一方の手にバイアルやアンプル等の薬剤密封容器を持ち、他方の手にシリンジやピペット等の充填具を持って、両手を遮蔽板の後に回すだけで、薬剤密封容器に対し充填具を抜き差して薬剤の調製ができるため、作業室に暴露防止具を設置しない状態で行うのとほとんど変わらない作業効率で薬剤の調製を行うことができる。
また、バイアルを横倒しにして作業を行うため、バイアルを立てて作業を行う場合に比べて、バイアルの先端部を作業室の底板にある吸引口に近接させることができ、バイアルの先端部から漏洩した薬剤を直ちに吸引口から吸引することができる。加えて、バイアルを横倒しにすることで、その胴体部を側方へ逃がすこととなるため、バイアル先端から漏れ出て、下方の吸引口に吸引される薬剤がバイアルを汚染することを効果的に抑制できる。
そして、かかる効果を得るために、本発明に係る暴露防止具は、少なくとも遮蔽板と支持部を備えれば足りるため、特許文献１の暴露防止箱に比べ、非常に構造がシンプルで、洗浄等の保守や製造にかかるコストを節約できる。
【０００８】
前記遮蔽板は、上端縁に後方へ傾斜する傾斜部を備えることが好ましい。こうすることで、遮蔽板の後側で発生した薬剤の蒸気等が遮蔽板の前に流出することを、より効果的に抑制できる。
【０００９】
前記支持部は、前記遮蔽板の下端から後方へ延出する板状をなし、前記作業室内と前記暴露防止具用吸引口と連通すべく厚み方向に貫通する貫通孔からなる排気口を有することが好ましい。こうすることで、排気口を暴露防止具用吸引口に合わせるだけで、遮蔽板の位置決めを行うことができるとともに、支持部の上で薬剤の調製等を行うだけで、漏れ出た薬剤の蒸気等を排気口（暴露防止具用吸引口）を介して作業室の下部空間へ排出することができる。
【００１０】
前記支持部は、前記排気口の側方に薬剤密封容器を載置可能なバイアル台を有することが好ましい。このように、排気口の側方にバイアル台を設けることで、薬剤密封容器を安定させて針の抜き差し操作を行うことができるとともに、排気口の直上で調製作業を行うよう作業者に促すことができる。
【００１１】
本発明は、前方に作業用開口部を有する作業室と、前記作業室の底壁の前縁に沿って設けられる前縁吸引口とを有し、前記作業用開口部から前記作業室へ流入する外部の空気と、前記作業室内の空気とを前記前縁吸引口から作業室の底壁の下部空間へ吸引することにより設けた気流により前記作業用開口部をシールドするよう構成された暴露防止用キャビネットと、前記作業室に設置して、薬剤や有機溶剤の調製を行う際に使用可能な暴露防止具とを備え、前記暴露防止用キャビネットは、前記前縁吸引口より後方において前記作業室の底壁を貫通するとともに前記作業室内の空気を前記作業室の下部空間へ吸引する暴露防止具用吸引口を有し、前記暴露防止具は、前記前縁吸引口と前記暴露防止具用吸引口とを前後に仕切るように立設される透明な遮蔽板と、前記遮蔽板を前記底壁上に支持する支持部とを有し、作業者が前記遮蔽板の左右の両端縁の外側から、前記遮蔽板の後方、かつ前記暴露防止具用吸引口の上方へ両手を回すことが可能に構成されていることを特徴とする暴露防止具付キャビネットを含む。
【発明の効果】
【００１２】
以上説明したように、本発明の暴露防止具、及び暴露防止具付キャビネットによれば、シンプルな構成で、暴露防止具を用いない場合と同様の作業性を確保しながら、暴露事故の発生を効果的に抑制できる。
【図面の簡単な説明】
【００１３】
【図１】本発明の第１実施形態に係る暴露防止具付キャビネットの作業室周辺を示した部分斜視図である。
【図２】図１に示した暴露防止具の斜視図である。
【図３】図１に示した暴露防止具付キャビネットのX−X線断面図である。
【図４】図１の暴露防止具用吸引口周辺を表す斜視図である。
【図５】図１に示したバイアル台の使用方法を示す（ａ）正面図、（ｂ）右側面図である。
【図６】図１に示したバイアル台の別の使用方法を示す（ａ）正面図、（ｂ）右側面図である。
【図７】本発明の第２実施形態に係るバイアル台の使用方法を示す（ａ）左側面図、（ｂ）正面図、（ｃ）右側面図である。
【図８】図７のバイアル台の斜視図である。
【発明を実施するための形態】
【００１４】
以下、適宜図面を用いながら本発明の実施形態について詳述する。尚、本発明は、以下の実施形態に限られるものではない。
【００１５】
（第１実施形態）
図１は、本発明の第１実施形態に係る暴露防止具付キャビネット１００を示している。暴露防止具付キャビネット１００は、図１に示すように、安全キャビネット（暴露防止用キャビネット）１０と、暴露防止具１とを備えている。
【００１６】
安全キャビネット１０は、日本工業規格ＪＩＳＫ３８００におけるバイオハザード対策用クラスIIキャビネットの分類Ｂ２に属する開放型・全排気型に構成された安全キャビネットである。
安全キャビネット１０は、シャッター２と、作業室３と、作業室３の前方に開口する作業用開口部４とを備え、作業用開口部４は、作業室３の底壁５の前端部に設けられるグレーチング５１の前縁吸引口５１ａから、作業室３の空気と作業用開口部４から流入した空気を吸引して設けた気流により、エアシールドされている。
底壁５は、前縁吸引口５１ａより後方において、厚み方向に貫通する略正方形の貫通孔からなる暴露防止具用吸引口６を有している。
また、作業室３の後壁５２には、下端縁に沿って、作業室の空気を作業室後方の排気路８（図３参照）に吸引する後壁吸引口５２ａが列設されている。
【００１７】
底壁５には、暴露防止具用吸引口６が、１個、又は複数個（図１の例では、複数個）設けられている。暴露防止具用吸引口６は、図４に示すように、蓋板６１と、底壁５を貫通する平面視略正方形の貫通孔からなる嵌合受部６２とからなる。嵌合受部６２は、図３に示すように、角枠状に配置した断面が４本のコ字材６２ｂを底壁５にねじ固定して設けられている。嵌合受部６２の入り口周縁には、蓋板６１を底壁５と面一に支持する蓋受け部６２ａが設けられ、嵌合受部６２の四方のコ字材６２ｂの下縁中央から延出する４つの挟持部材６４を有している。挟持部材６４は、Ｌ字金具６４ａからなり、突出端側がゴムパッド６４ｂで覆われている。嵌合受部６２の下側の開口は、落下物防止用のパンチングボード６３にて通気自在に閉塞されている。
【００１８】
暴露防止具１は、図２に示すように、側面視略Ｌ字型をなす作業台本体１１と、２個のバイアル台１６，１６とを備えている。
【００１９】
作業台本体１１は、全体がアクリル樹脂やガラス等の透明材料から形成され、図１に示すように、安全キャビネット１０の作業室３に設置した際に、前縁吸引口５１ａ，５１ａ，…と、暴露防止具用吸引口６との前後方向の間において、略鉛直に、かつ厚み方向を前後方向として立設される遮蔽板１２と、遮蔽板１２の下端から後方へ略水平に延出する板状をなす支持部１３とからなる。
【００２０】
遮蔽板１２は、正面視矩形の板状をなし、上端に後方へ傾斜する傾斜部１２ａを有している。遮蔽板１２は、図１に２点鎖線で示すように、作業用開口部４から作業室３に両手を入れた作業者が、遮蔽板１２の両側縁から後へ両手を回して、遮蔽板１２の後側で両手を使って、バイアルやアンプルにシリンジの針やピペットの先端を挿入できるような幅や位置に設けられる。
【００２１】
支持部１３は、図２に示すように、遮蔽板１２と垂直に設けられる矩形の板状をなし、平面視における略中央に、排気口１４を備えている。排気口１４は、支持部１３の略中央に設けた矩形の貫通孔１４ａと、貫通孔１４ａの周縁から下方へ延出するよう設けた４枚の帯板状の周壁１４ｂとからなる。
また、支持部１３の上面には、排気口１４の両側縁に沿って、支持部１３の前後方向の略全長に亘って延びる一対の帯板状のリブ１５，１５が立設されている。
【００２２】
バイアル台１６は、ポリカーボネート等の透明な硬質樹脂製からなり図５（ｂ）に示すように、長方形の幅方向（図５（ｂ）の上下方向）の両端縁に、大きさの異なる半円状の凹部１６ａ，１６ｂが設けられている。バイアル台１６は、幅方向を上下方向として、リブ１５にあてがう様にして支持部１３に載置される。
【００２３】
次に、暴露防止具付キャビネット１００を用いて、薬剤の調製を行う際の手順と各部の作用効果について説明する。
暴露防止具付キャビネット１００を用いて薬剤の調製を行う際には、まず、図１に示したように、蓋板６１を取り外して暴露防止具用吸引口６を開放し、作業台本体１１を設置する。作業台本体１１は、図３に示すように、排気口１４の周壁１４ｂを暴露防止具用吸引口６の周壁（コ字材）６２ｂと挟持部材６４の間に刺し込むようにして設置する。
作業台本体１１を設置したら、バイアル台１６を作業台本体１１に載置する。この際、使用する薬剤密封容器Ａ（バイアルやアンプル等）の外径が大きい場合は、図５に示すように、径の大きな凹部１６ａを上側にし、２枚のバイアル台１６を重ねて使用する。薬剤密封容器Ａの外径が小さい場合、バイアル台１６は、図６に示すように、径の小さい凹部１６ｂを上側にして１枚のみ使用する。
【００２４】
図３において、白抜きの矢印は作業室３における空気の流れを示している。作業用開口部４から作業室３に流入した空気は、作業室３の天壁（不図示）からの給気と共に、前縁吸引口５１ａから下部空間７に吸引される。作業室３の後部の空気は、後壁吸引口５２ａから排気路８へ吸引される。暴露防止具１の上方から下降する空気は、排気口１４（暴露防止具用吸引口６）を介して下部空間７へ吸引される。
【００２５】
この状態で、図１に示すように、一方の手（図１の例では左手）に薬剤密封容器Ａを握り、他方の手にシリンジＢを掴んで、遮蔽板１２の両側縁（りょうそくえん）の外側から遮蔽板１２の後方に両手を回す。
このように、遮蔽板１２は、作業者が左右両側から後方へ手を回すだけで薬剤の調製を行うことができるため、暴露防止具１を備えない安全キャビネット等を用いる場合と同様の作業性を確保することができる。
また、薬剤密封容器Ａを横倒しにして作業を行うため、薬剤密封容器Ａを立てて作業を行う場合に比べて、その先端部を作業室の底板にある吸引口に近接させることができ、薬剤密封容器Ａの先端部から漏洩した薬剤を直ちに吸引口から吸引することができ、また、薬剤密封容器Ａの胴体部を側方へ逃がすことができるため、薬剤密封容器Ａの先端から漏れ出て、下方の吸引口に吸引される薬剤が薬剤密封容器Ａを汚染することを効果的に抑制できる。
【００２６】
そして、一方の手に持った薬剤密封容器Ａを、図１に示すように横倒しにしてその周面をバイアル台１６の凹部１６ａ（又は１６ｂ）に載置する。こうすることで、シリンジ針を薬剤密封容器Ａの蓋に抜き差しする位置を、排気口１４（暴露防止具用吸引口６）の直上に案内できる。
【００２７】
こうして、排気口１４（暴露防止具用吸引口６）の上方で薬剤の調製を行うと、シリンジ針を薬剤密封容器Ａの蓋に刺した個所から漏れ出た薬剤の蒸気やガス等が、排気口１４（暴露防止具用吸引口６）を介して、下部空間７へ吸引される。
また、バイアル台１６に薬剤密封容器Ａを載置することで、薬剤密封容器Ａが手振れせず針の誤操作による暴露事故を抑制できる。
【００２８】
また、遮蔽板１２は、上端縁に後方へ傾斜する傾斜部１２ａを備えるため、遮蔽板１２の後側で発生した薬剤の蒸気等が遮蔽板１２の前へ流出することを効果的に抑制できる。
【００２９】
（第２実施形態）
図７、図８は、本発明の第２実施形態に係る暴露防止具２０１を示している。暴露防止具２０１は、第１実施形態と共通する作業台本体１１と、第１実施形態とは異なるバイアル台２１６とを備えている。以下、第１実施形態と共通する部材は、同一符号を付して説明を省略する。
【００３０】
バイアル台２１６は、図７に示すように、略直方体状の台部２１６ａと台部２１６ａ上面の幅方向（図６（ｂ）の左右方向）の一端（図６（ｂ）の右端）から上方へ延出する矩形の板状をなす保護ボード２１６ｂとを備え、リブ１５にあてがう様にして作業台本体１１に載置される。台部２１６ａの上面には、前後方向における排気口１４と同じ位置に、幅方向に延びる断面円弧状の凹部２１６ｃが設けられ、保護ボード２１６ｂには、凹部２１６ｃの直上に円形貫通孔からなる容器挿通孔２１６ｄが設けられている。
【００３１】
暴露防止具２０１（バイアル台２１６）を用いて薬剤の調製を行う際には、図７（ｂ）、図８に示すように、横倒しにした薬剤密封容器Ａの蓋部分を容器挿通孔２１６ｄに挿通し、薬剤密封容器Ａの胴部分を凹部２１６ｃに載置した状態で薬剤密封容器Ａを一方の手で押さえ、他方の手でシリンジＢを掴んでシリンジ針の抜き差しを行う。バイアル台２１６は、保護ボード２１６ｂを備えているので、シリンジ針を誤って手に刺してしまうことや、薬剤密封容器Ａとシリンジ針との間から漏れ出た薬剤等が薬剤密封容器Ａを握った方の手に付着することを抑制できる。
【００３２】
以上、本発明は、上記の実施形態に限らず、例えば、暴露防止用キャビネットは、作業用開口部が同様の気流によりエアシールドされるものであれば、安全キャビネットに限らず、有機溶剤を取り扱ういわゆる局所配置装置の他、アイソレーター等、同様の構成を備えるものを適宜に使用できる。暴露防止具は、傾斜部や排気口、バイアル台を備えなくともよいし、支持部が板状でなくともよい。排気口は、正方形に限らず円形他適宜の形状を採用できる。
【符号の説明】
【００３３】
暴露防止具付キャビネット１００
暴露防止用キャビネット１０
暴露防止具１，２０１
遮蔽板１２
傾斜部１２ａ
支持部１３
排気口１４
バイアル台１６，２１６
作業室３
作業用開口部４
底壁５
前縁吸引口５１ａ
暴露防止具用吸引口６
下部空間７
薬剤密封容器Ａ
充填具Ｂ
【図１】
2019162580.tif 000003
【図２】
2019162580.tif 000004
【図３】
2019162580.tif 000005
【図４】
2019162580.tif 000006
【図５】
2019162580.tif 000007
【図６】
2019162580.tif 000008
【図７】
2019162580.tif 000009
【図８】
2019162580.tif 000010